(57)【要約】【課題】  本発明は、画像に対してノイズ除去と輪郭強調との処理を効果的に施すことができる技術を提供することを目的とする。【解決手段】  本発明の画像処理装置は、撮像した画像を読み込む入力部と、画像におけるノイズを除去するノイズ除去部と、画像の輪郭を強調を行う輪郭強調部と、ノイズ除去部および輪郭強調部における処理を制御する制御部とを備える。制御部は、ノイズ除去部による処理の前には、輪郭強調部を画像におけるノイズと被写体とを分離させるプリフィルタとして動作させ、ノイズ除去部による処理の後には、輪郭強調部に画像の輪郭を強調させることを特徴とする。【選択図】      図１
2009194649.tif 000002
【特許請求の範囲】
【請求項１】
撮像した画像を読み込む入力部と、
前記画像におけるノイズを除去するノイズ除去部と、
前記画像の輪郭を強調を行う輪郭強調部と、
前記ノイズ除去部および前記輪郭強調部における処理を制御する制御部とを備え、
前記制御部は、
前記ノイズ除去部による処理の前には、前記輪郭強調部を前記画像における前記ノイズと被写体とを分離させるプリフィルタとして動作させ、前記ノイズ除去部による処理の後には、前記輪郭強調部に前記画像の輪郭を強調させる
ことを特徴とする画像処理装置。
【請求項２】
撮像した画像を読み込む入力部と、
複数の画像処理部を有しパイプラインで処理を行うパイプライン処理部と、
前記画像におけるノイズを除去するノイズ除去部と、
前記画像の輪郭を強調を行う輪郭強調部と、
前記パイプライン処理部、前記ノイズ除去部および前記輪郭強調部における処理を制御する制御部とを備え、
前記パイプライン処理部は、
前記複数の画像処理部のうちの１つとして第２の輪郭強調部をさらに備え、
前記制御部は、
前記ノイズ除去部による処理の前には、前記第２の輪郭強調部を前記画像における前記ノイズと被写体とを分離させるプリフィルタとして動作させ、前記ノイズ除去部による処理の後には、前記輪郭強調部に前記画像の輪郭を強調させる
ことを特徴とする画像処理装置。
【請求項３】
請求項２に記載の画像処理装置において、
前記制御部は、
前記ノイズ除去部による処理を省略する場合には、前記輪郭強調部での処理を省略して、前記第２の輪郭強調部に前記画像の輪郭の強調させる
ことを特徴とする画像処理装置。
【請求項４】
被写体を撮像して画像を取得する撮像部と、
前記撮像部が取得した画像を読み込んで処理する請求項１ないし請求項３のいずれか１項に記載の画像処理装置と
を備えたことを特徴とするデジタルカメラ。
【発明の詳細な説明】
【技術分野】
【０００１】
本発明は、ノイズ除去と輪郭強調との処理機能を有する画像処理装置およびそれを搭載するデジタルカメラに関する。
【背景技術】
【０００２】
近年、デジタルカメラには、撮像した画像における画質改善を行うために、被写体の輪郭を強調処理する機能が標準搭載されている。
【０００３】
しかしながら、撮像した画像には、被写体の情報だけでなく、デジタルカメラの撮像素子等によるノイズをも含んでおり、輪郭強調処理はそうしたノイズまでも強調する。したがって、輪郭強調処理に対するノイズの影響を抑える、ノイズ除去の処理を輪郭強調処理の前に施すように回路設計される（例えば、特許文献１を参照）。
【特許文献１】特開２００４−３１８３５６号公報
【発明の開示】
【発明が解決しようとする課題】
【０００４】
しかしながら、従来のノイズ除去を行ってから輪郭強調処理を行うという手順では、ノイズ除去の処理において画像からノイズを除去するだけでなく、被写体の輪郭までも均してしまい、微細な構造を潰してしまうという問題がある。
【０００５】
上記従来技術が有する問題を鑑み、本発明の目的は、画像に対してノイズ除去と輪郭強調との処理を効果的に施すことができる技術を提供することにある。
【課題を解決するための手段】
【０００６】
第１の発明の画像処理装置は、撮像した画像を読み込む入力部と、画像におけるノイズを除去するノイズ除去部と、画像の輪郭を強調を行う輪郭強調部と、ノイズ除去部および輪郭強調部における処理を制御する制御部とを備える。制御部は、ノイズ除去部による処理の前には、輪郭強調部を画像におけるノイズと被写体とを分離させるプリフィルタとして動作させ、ノイズ除去部による処理の後には、輪郭強調部に画像の輪郭を強調させることを特徴とする。
【０００７】
第２の発明の画像処理装置は、撮像した画像を読み込む入力部と、複数の画像処理部を有しパイプラインで処理を行うパイプライン処理部と、画像におけるノイズを除去するノイズ除去部と、画像の輪郭を強調を行う輪郭強調部と、パイプライン処理部、ノイズ除去部および輪郭強調部における処理を制御する制御部とを備える。さらに、パイプライン処理部は、複数の画像処理部のうちの１つとして第２の輪郭強調部をさらに備え、制御部は、ノイズ除去部による処理の前には、第２の輪郭強調部を画像におけるノイズと被写体とを分離させるプリフィルタとして動作させ、ノイズ除去部による処理の後には、輪郭強調部に画像の輪郭を強調させることを特徴とする。
【０００８】
第３の発明は、第２の発明において、制御部は、ノイズ除去部による処理を省略する場合には、輪郭強調部での処理を省略して、第２の輪郭強調部に画像の輪郭の強調させることを特徴とする。
【０００９】
第４の発明のデジタルカメラは、被写体を撮像して画像を取得する撮像部と、撮像部が取得した画像を読み込んで処理する第１の発明ないし第３の発明のいずれかとを備えたことを特徴とする。
【発明の効果】
【００１０】
本発明によれば、画像に対してノイズ除去と輪郭強調との処理を効果的に施すことができる。
【発明を実施するための最良の形態】
【００１１】
≪第１の実施形態≫
図１は、本発明の第１の実施形態に係るデジタルカメラ１０の構成図である。
【００１２】
デジタルカメラ１０は、撮像レンズ１、撮像素子２、アンプ３、Ａ／Ｄ変換部４、信号処理回路５、バッファメモリ６、カードインタフェース（カードＩ／Ｆ）７、タイミングジェネレータ（ＴＧ）９、ノイズ除去部１１、輪郭強調処理部１２、ＣＰＵ１３、操作部材１４、ＡＳＩＣ１５、画像圧縮処理部１７、表示回路１８およびモニタ１９から構成される。撮像レンズ１の撮像素子２とＴＧ９とは、ＣＰＵ１３とそれぞれ接続されている。バッファメモリ６、カードＩ／Ｆ７、ノイズ除去部１１、輪郭強調処理部１２、ＣＰＵ１３、操作部材１４、ＡＳＩＣ１５、画像圧縮処理部１７および表示回路１８は、バス２０を介して情報伝達可能に接続されている。
【００１３】
撮像素子２は、ＣＰＵ１３の指令を受けてＴＧ９が発するタイミングパルスに基づいて動作し、前方に設けられた撮像レンズ１によって結像される被写体像を取得する。撮像素子２には、ＣＣＤやＣＭＯＳの半導体のイメージセンサ等を適宜選択して用いることができる。
【００１４】
撮像素子２からの画像信号は、アンプ３で増幅されて、Ａ／Ｄ変換部４にてデジタル信号に変換されて出力される。信号処理回路５は、撮像した画像に対して種々の信号処理（例えば、階調処理等）を施し出力する。これらアンプ３、Ａ／Ｄ変換部４および信号処理回路５は、撮像素子２とともに、ＣＰＵ１３の指令によりＴＧ９が発するタイミングパルスに基づいて動作する。その出力結果は、一時的にフレームメモリ（不図示）に保持された後、バス２０を介してバッファメモリ６に保持される。
【００１５】
カードＩ／Ｆ７には、カードメモリ８が脱着可能に装着される。バッファメモリ６に保持されている画像は、ＣＰＵ１３の指示に基づいて処理された後、画像圧縮処理部１７においてＪＰＥＧ形式やＹＵＶ形式等の圧縮形式に変換され、カードメモリ８に記録される。
【００１６】
ＣＰＵ１３は、ユーザにより操作部材１４の電源釦を介してデジタルカメラ１０の電源が入れられると、搭載されているメモリ（不図示）に予め保存されている制御プログラムを読み込み初期化する。操作部材１４を通じてユーザからの指示を受け付けると、ＣＰＵ１３は、制御プログラムに基づいて、ＴＧ９に対して被写体の撮像指令を出したり、撮像した画像の処理、カードメモリ８への保存およびモニタ１９への表示等の制御を行う。ＣＰＵ１３には、一般的なコンピュータのＣＰＵが使用できる。
【００１７】
操作部材１４は、ユーザによる部材操作の内容に応じた操作信号をＣＰＵ１３に送る。操作部材１４には、例えば、電源釦、撮影モード等のモード設定釦、レリーズ釦等の操作部材を有する。
【００１８】
ＡＳＩＣ１５は、画像補正や画像圧縮等の複数の画像処理回路を直列で接続し、パイプライン方式で高速に画像処理する集積回路である。本第１の実施形態では、４つの画像処理回路である第１画像処理部１５ａないし第３画像処理部１５ｃと輪郭強調処理部１６とから成る。
【００１９】
モニタ１９は、表示回路１８を介して、撮影された画像やモード設定画面等を表示する。モニタ１９には、液晶モニタ等を適宜選択して用いることができる。
【００２０】
次に、本第１の実施形態に係るデジタルカメラ１０について、図２のフローチャートを参照しながら説明する。
【００２１】
ユーザにより操作部材１４の電源釦が押されると、ＣＰＵ１３は、デジタルカメラ１０に搭載されているメモリ（不図示）に予め保存されている制御プログラムを読み込み初期化する。ＣＰＵ１３は、図２のステップＳ１０においてユーザからの被写体の撮像指示が出されるまで待機する。このステップＳ１０において、本第１の実施形態では、ユーザが、操作部材１４のモード設定釦を用いて、撮像した画像に対してノイズ除去処理を行うか否かの設定を行う。その設定の後、ユーザが操作部材１４のレリーズ釦を押すと、ＣＰＵ１３は、撮像指示が出されたと判断して、ステップＳ１１へ移行する。
【００２２】
ステップＳ１１では、ＣＰＵ１３が、ＴＧ９に対して撮像指令を出す。ＴＧ９はタイミングパルスを撮像素子２に発し、撮像素子２は撮像レンズ１によって結像される被写体を撮像する。撮像した画像は、アンプ３、Ａ／Ｄ変換部４および信号処理回路５を介してバッファメモリ６に保持される。
【００２３】
ステップＳ１２では、ＣＰＵ１３が、ユーザによりノイズ除去を行うモード設定がなされているか否かを判定する。ノイズ除去モードの設定がなされている場合には、ステップＳ１３（ＹＥＳ側）へ移行する。モードの設定がなされていない場合には、ステップＳ２０（ＮＯ側）へ移行する。
【００２４】
最初に、ノイズ除去モードが設定されている場合について説明する。
【００２５】
ステップＳ１３では、ユーザによりノイズ除去モードの設定がなされていることから、ＣＰＵ１３が、ＡＳＩＣ１５の輪郭強調処理部１６をノイズ除去前のプリフィルタとして動作させるための設定パラメータを、第１画像処理部１５ａないし第３画像処理部１５ｃの設定パラメータとともに、ＡＳＩＣ１５に送信する。
【００２６】
ここで、本第１の実施形態においてＡＳＩＣ１５の輪郭強調処理部１６をプリフィルタとして動作させる理由について説明する。
【００２７】
上述のように、ノイズ除去処理において、撮像素子２の１画素または数画素によるナイキスト周波数程度の高周波数ノイズを除去するだけでなく、被写体の輪郭の微細な構造までも均してしまう。一方、輪郭強調の処理とは、画像の高周波数成分を強調する処理であり、図３（ａ）のような周波数特性を有する。そこで、本第１の実施形態では、ＡＳＩＣ１５の輪郭強調処理部１６に対する設定パラメータを調節して、輪郭強調処理部１６を図３（ｂ）の周波数特性を有するプリフィルタとして動作させることにより、ノイズ除去部１１の前に、ある程度の高周波数ノイズを除去する。これにより、従来と比較してノイズ除去部１１によるノイズ除去の強度を高く設定する必要がなくなり、ノイズ除去処理による被写体の輪郭の微細な構造を潰してしまうという問題が解決される。
【００２８】
ステップＳ１４では、ＣＰＵ１３が、バッファメモリ６に保持されている撮像した画像を読み込み、ＡＳＩＣ１５における第１画像処理部１５ａないし第３画像処理部１５ｃの処理と輪郭強調処理部１６によるプリフィルタ処理とをパイプライン方式で行う。
【００２９】
ステップＳ１５では、ＣＰＵ１３が、ステップＳ１５におけるＡＳＩＣ１５の出力結果を、バッファメモリ６に保持する。
【００３０】
ステップＳ１６では、ＣＰＵ１３が、バッファメモリ６に保持されているステップＳ１５において処理された画像を読み込み、ノイズ除去部１１によるノイズ除去を行う。ここで、ノイズ除去の方法としては、従来技術である方法を用いて行うことができる。例えば、空間デジタルフィルタを用い、画像の各々の画素を周辺画素と比較しながらノイズを除去する方法等適宜選択して行うのが好適である。
【００３１】
ステップＳ１７では、ＣＰＵ１３が、ステップＳ１６においてノイズ除去した画像に対して、輪郭強調処理部１２による輪郭強調処理を行う。なお、本第１の実施形態では、輪郭強調処理部１２の周波数特性は、ＡＳＩＣ１５における輪郭強調処理部１６を輪郭強調として用いる時と同じ図３（ａ）の周波数特性を持つように設定する。
【００３２】
ステップＳ１８では、ＣＰＵ１３が、ステップＳ１７において輪郭強調した画像を、画像圧縮処理部１７による圧縮処理を行う。
【００３３】
ステップＳ１９では、ＣＰＵ１３は、ステップＳ１８にて圧縮処理した画像（ＪＰＥＧ形式やＹＵＶ形式等の圧縮コードデータ）を、カードＩ／Ｆ７を介してカードメモリ８に記録して終了する。以上、ノイズ除去モードが設定されている場合の処理の手順である。
【００３４】
次に、ノイズ除去モードが設定されていない場合について説明する。この場合には、上述のように、ステップＳ１２において、ＣＰＵ１３が、ステップＳ２０（ＮＯ側）へ移行する。
【００３５】
ステップＳ２０では、ユーザによりノイズ除去モードの設定がされていないので、ＣＰＵ１３が、ＡＳＩＣ１５の輪郭強調処理部１６を輪郭強調として動作させる設定パラメータを、第１画像処理部１５ａないし第３画像処理部１５ｃの設定パラメータとともに、ＡＳＩＣ１５に送信する。
【００３６】
ステップＳ２１では、ＣＰＵ１３が、バッファメモリ６に保持されている撮像した画像を読み込み、ＡＳＩＣ１５における第１画像処理部１５ａないし第３画像処理部１５ｃによる処理と輪郭強調処理部１６による輪郭強調処理とをパイプライン方式で行う。
【００３７】
ステップＳ２２では、ＣＰＵ１３が、ステップＳ２１におけるＡＳＩＣ１５の出力結果を、バッファメモリ６に保持する。ＣＰＵ１３は、ステップＳ１８に移行し、ノイズ除去モードが設定されている場合と同様に、ステップＳ１８とステップＳ１９との処理を行い終了する。
【００３８】
このように本第１の実施形態は、ノイズ除去処理を行う場合において、ＡＳＩＣ１５における輪郭強調処理部１６をノイズ除去を行う前のプリフィルタとして動作させることにより、デジタルカメラ１０の回路規模を増大させず、且つノイズ除去部１１によるノイズ除去の強度を高く設定する必要もなくなり、被写体の輪郭の微細な構造を潰すことなく、輪郭強調の処理を行うことができる。
≪第２の実施形態≫
図４は、本発明の第２の実施形態に係るデジタルカメラ５０の構成図である。
【００３９】
デジタルカメラ５０は、基本的に図１の第１の実施形態に係るデジタルカメラ１０と同じであり、同じ動作をする構成要素については同じ番号を付し詳細な説明は省略する。
【００４０】
本第２の実施形態に係るデジタルカメラ５０が、第１の実施形態に係るデジタルカメラ１０と異なる点は、第１画像処理部１５ａないし第３画像処理部１５ｃの各々が、ＡＳＩＣ１５のように直列に接続されているのではなく、ユニット化されて直接バス２０にそれぞれ接続されている。また、図１のＡＳＩＣ１５にあった輪郭強調処理部１６は、輪郭強調処理部１２で代用される。
【００４１】
次に、本第２の実施形態に係るデジタルカメラ５０について、図５のフローチャートを参照しながら説明する。
【００４２】
第１の実施形態と同様に、ユーザにより操作部材１４の電源釦が押されると、ＣＰＵ１３は、デジタルカメラ１０に搭載されているメモリ（不図示）に予め保存されている制御プログラムを読み込み初期化する。ＣＰＵ１３は、図５のステップＳ５０においてユーザからの被写体の撮像指示が出されるまで待機する。このステップＳ５０において、本第２の実施形態では、ユーザが、操作部材１４のモード設定釦を用いて、撮像した画像に対してノイズ除去処理を行うか否かの設定を行う。その設定の後、ユーザが操作部材１４のレリーズ釦を押すと、ＣＰＵ１３は、撮像指示が出されたと判断して、ステップＳ５１へ移行する。
【００４３】
ステップＳ５１では、ＣＰＵ１３が、ＴＧ９に対して撮像指令を出す。ＴＧ９はタイミングパルスを撮像素子２に発し、撮像素子２は撮像レンズ１によって結像される被写体を撮像する。撮像した画像は、アンプ３、Ａ／Ｄ変換部４および信号処理回路５を介してバッファメモリ６に保持される。
【００４４】
ステップＳ５２では、ＣＰＵ１３が、最初の画像処理を行う第１画像処理部１５ａに対してパラメータ設定を行う。ＣＰＵ１３は、バッファメモリ６に保持されているステップＳ５１において撮像した画像を読み込み、第１画像処理部１５ａでの画像処理を行う。同様にして、ＣＰＵ１３は、第２画像処理部１５ｂおよび第３画像処理部１５ｃに対してもそれぞれパラメータ設定を行い、撮像した画像に対する第２画像処理部１５ｂおよび第３画像処理部１５ｃにおける画像処理を順次行う。出力結果をバッファメモリ６に保持する。
【００４５】
ステップＳ５３では、ＣＰＵ１３が、ユーザによりノイズ除去を行うモード設定がなされているか否かを判定する。ノイズ除去モードの設定がなされている場合には、ステップＳ５４（ＹＥＳ側）へ移行する。モード設定がなされていない場合には、ステップＳ５６（ＮＯ側）へ移行する。
【００４６】
最初に、ノイズ除去モードが設定されている場合について説明する。
【００４７】
ステップＳ５４では、ユーザによりノイズ除去モードの設定がなされていることから、ＣＰＵ１３が、輪郭強調処理部１２をノイズ除去前のプリフィルタとして動作させるための設定パラメータを、輪郭強調処理部１２に送信する。ＣＰＵ１３は、バッファメモリ６に保持されているステップＳ５２において画像処理した画像を読み込み、プリフィルタ処理を行う。なお、本第２の実施形態における、プリフィルタとして動作させる輪郭強調処理部１２の周波数特性は、図３（ｂ）と同じである。
【００４８】
ステップＳ５５では、ＣＰＵ１３が、ステップＳ５４にてプリフィルタ処理した画像に対してノイズ除去部１１によるノイズ除去を行う。
【００４９】
ステップＳ５６では、ＣＰＵ１３が、輪郭強調処理部１２に対して輪郭強調として動作させるためのパラメータ設定を行い、ステップＳ５５においてノイズ除去した画像の輪郭強調処理を行う。なお、本第２の実施形態における、輪郭強調として動作させる輪郭強調処理部１２の周波数特性は、図３（ａ）と同じである。
【００５０】
ステップＳ５７では、ＣＰＵ１３が、ステップＳ５６において輪郭強調した画像を、画像圧縮処理部１７に入力して圧縮処理を行う。
【００５１】
ステップＳ５８では、ＣＰＵ１３が、ステップＳ５７にて圧縮処理した画像を、カードＩ／Ｆ７を介してカードメモリ８に記録して終了する。以上、ノイズ除去モードが設定されている場合の処理の手順である。
【００５２】
一方、ノイズ除去モードが設定されていない場合は、ステップＳ５３にからステップＳ５６へ移行する。ノイズ除去モードが設定されている場合と同様に、ＣＰＵ１３は、ステップＳ５６からステップＳ５８の処理を撮像した画像に対して行い終了する。
【００５３】
このように本第２の実施形態は、ノイズ除去処理を行う場合において、輪郭強調処理部１２をノイズ除去を行う前のプリフィルタとしても動作させることにより、デジタルカメラ５０の回路規模を増大させず、且つノイズ除去部１１によるノイズ除去の強度を高く設定する必要もなくなり、被写体の輪郭の微細な構造を潰すことなく、輪郭強調の処理を行うことができる。
≪実施形態に関する補足事項≫
本第１の実施形態および本第２の実施形態では、本発明に係る画像処理装置が搭載されたデジタルカメラについて説明したが、本発明に係る画像処理装置を搭載したプリンタ、画像ストレージャやデジタルビデオカメラ等へ適用することが可能である。
【００５４】
また、本第１の実施形態および本第２の実施形態の画像処理の一部または全部を実現するプログラムを備え、画像処理装置としてコンピュータを機能させることに対しても適用可能である。
【００５５】
なお、本第１の実施形態および本第２の実施形態において、ノイズ除去処理のモード設定は、撮像前のユーザによる指示で行うとしたが、本発明はこれに限定されない。例えば、撮像素子２の撮像感度に応じて、ノイズ除去のモード設定が行われても良い。
【００５６】
なお、本第１の実施形態および本第２の実施形態において、ノイズ除去部１１によるノイズ除去処理と輪郭強調処理部１２による輪郭強調処理とは、バス２０を介して画像のやり取りが行われたが、本発明はこれに限定されない。ノイズ除去部１１と輪郭強調処理部１２とが直列に接続され、パイプライン方式で処理するようにしても良い。ただし、この場合、本第２の実施形態においては、ステップＳ５４にて輪郭強調処理部１２を用いてプリフィルタ処理を行う際、ＣＰＵ１３は、輪郭強調処理部１２をプリフィルタとして動作させる設定パラメータとともに、ノイズ除去部１１を動作させないパラメータを送信することが好適である。
【００５７】
なお、本第１の実施形態および本第２の実施形態において、ＡＳＩＣ１５の輪郭強調処理部１６や輪郭強調処理部１２によるプリフィルタ処理により、ナイキスト周波数周辺の高周波数成分であるノイズを画像から除去するとしたが、本発明はこれに限定されない。例えば、高周波数ノイズ成分を撮像した画像から取り出して、元の撮像した画像から高周波数ノイズ成分を差し引くという処理を、輪郭強調処理部１６または輪郭強調処理部１２によるプリフィルタ処理として行わせても良い。
【００５８】
なお、本第１の実施形態および本第２の実施形態において、第１画像処理部１５ａないし第３画像処理部１５ｃの３つの画像処理部を有したが、本発明はこれに限定されない。ＣＰＵ１３の処理能力、撮像素子２の解像度や画像処理に対して要求等に応じて、各画像処理部における処理内容やその数を適宜決めることが好適である。
【００５９】
なお、本第１の実施形態および本第２の実施形態において、ＡＳＩＣ１５の輪郭強調処理部１６や輪郭強調処理部１２を輪郭強調あるいはプリフィルタとして動作させる時の周波数特性を図３のようにしたが、本発明はこれに限定されない。撮像する状況に応じて、設定パラメータの値を適宜変えることにより、輪郭強調処理部１６または輪郭強調処理部１２の周波数特性を変えることが好適である。
【００６０】
なお、本第１の実施形態および本第２の実施形態において、一連の画像処理が行われた画像はカードメモリ８に記録するとしたが、本発明はこれに限定されない。例えば、処理された画像を、カードメモリ８に記録するとともに、モニタ１９に表示させても良い。
【００６１】
なお、本発明は、その精神またはその主要な特徴から逸脱することなく他の様々な形で実施することができる。そのため、上述した実施形態はあらゆる点で単なる例示にすぎず、限定的に解釈されてはならない。本発明は、特許請求の範囲によって示されるものであって、本発明は明細書本文には何ら拘束されない。さらに、特許請求の範囲の均等範囲に属する変形や変更は、全て本発明の範囲内である。
【産業上の利用可能性】
【００６２】
本発明は、デジタルカメラやデジタルビデオカメラに限らず、プリンタや画像ストレージャ等に搭載される画像処理装置の分野において利用することができる。
【図面の簡単な説明】
【００６３】
【図１】本発明の第１の実施形態に係るデジタルカメラ１０の構成を示す図である。
【図２】本発明の第１の実施形態に係るデジタルカメラ１０の動作を示すフローチャート。
【図３】本発明の第１の実施形態における輪郭強調処理部１６を（ａ）輪郭強調および（ｂ）プリフィルタとしてそれぞれ動作させた時の周波数特性を示す図である。
【図４】本発明の第２の実施形態に係るデジタルカメラ５０の構成を示す図である。
【図５】本発明の第２の実施形態に係るデジタルカメラ５０の動作を示すフローチャート。
【符号の説明】
【００６４】
１  撮像レンズ、２  撮像素子、３  アンプ、４  Ａ／Ｄ変換部、５  信号処理回路、６  バッファメモリ、７  カードＩ／Ｆ、８  カードメモリ、９  ＴＧ、１０  デジタルカメラ、１１  ノイズ除去部、１２、１６  輪郭強調処理部、１３  ＣＰＵ、１４  操作部材、１５  ＡＳＩＣ、１７  画像圧縮処理部、１８  表示回路、１９  モニタ、２０  バス
【図１】
2009194649.tif 000003
【図２】
2009194649.tif 000004
【図３】
2009194649.tif 000005
【図４】
2009194649.tif 000006
【図５】
2009194649.tif 000007